(57)【要約】【課題】ブラシ組立体の組立工程を簡素化できるブラシ付き電動モータを提供する。【解決手段】コイルスプリング１８の筒状内部に端子線１７を挿通させた状態で、コイルスプリング１８から突出する端子線１７の後端を端子線固定部２３に固定し、コイルスプリング１８を圧縮し、端子線１７をスリット２５の股部２６に引っ掛けて、バネ受部２４の裏面側２４ｂからバネ受部側２４ａへ折返し、コイルスプリング１８の圧縮力を解放することで、コイルスプリング１８が先端側を給電ブラシ１５に、後端側をバネ受部２４にそれぞれ当接させつつ、給電ブラシ１５をバネ受部２４から離間する方向に付勢保持する。【選択図】図２
2010220437.tif 000002
【特許請求の範囲】
【請求項１】
給電ブラシと、
給電ブラシの後端から延設される端子線と、
端子線端部と電気的に接続されるコネクタ端子と、
端子線を内部に挿通しつつ、給電ブラシとコネクタ端子との間に圧縮した状態で配設されるコイルスプリングとからなるブラシ組立体を備えるブラシ付き電動モータであって、
コネクタ端子は、
コイルスプリングの後端と当接し、コイルスプリングを保持するバネ受部と、
バネ受部に形成されたスリットと、
バネ受部のスリット股部から所定の寸法離れた位置に配置される端子線固定部とを備え、
コイルスプリングの自由長寸法をＬＳ０、ブラシ組立体が完成した状態でのコイルスプリングの寸法をＬＳ、端子線固定部とスリットの股部との間の寸法をＬＬ、給電ブラシのスプリング受面から端子線先端までの寸法をＬＰとし、
（寸法ＬＰ）＞（寸法ＬＳ０）
（寸法ＬＰ）≧（寸法ＬＳ）＋（寸法ＬＬ）
上記２式を満足するようにそれぞれの寸法が設定され、
コイルスプリングの筒状内部に端子線を挿通させた状態で、端子線の後端を端子線固定部に固定し、
コイルスプリングを寸法がＬＳ以下になるように圧縮し、
端子線をスリットに引っ掛けて、バネ受部の裏面側からバネ受部側へ折返し、
コイルスプリングの圧縮力を解放することで、
コイルスプリングが先端側を給電ブラシに、後端側をバネ受部にそれぞれ当接しつつ、給電ブラシをバネ受部から離間する方向に付勢保持することを特徴とするブラシ付き電動モータ。
【発明の詳細な説明】
【技術分野】
【０００１】
本発明は、給電ブラシをコイルスプリングによって整流子に押し付けるブラシ付き電動モータに関する。
【背景技術】
【０００２】
従来よりブラシ付き電動モータを駆動手段とする種々の燃料ポンプが提案されており、特許文献１に、その一例が開示されている。
【０００３】
特許文献１に開示される燃料ポンプは、図８に示すように、電動モータ１１０の回転子に摺接する給電ブラシ１１５がカバー体１０４のガイド孔１１６内に設けられるとともに、コイルスプリング１１８によって整流子１１４側に向けて付勢されている。燃料ポンプ１０１の組立時には、カバー体１０４を貫通するガイド孔１１６の外側から、給電ブラシ１１５とコイルスプリング１１８、およびニップル１１９とからなるブラシ組立体１０５を挿入し、ニップル１１９部分を圧入することで、ブラシ組立体１０５を支持するようになっている。また、ニップル１１９はコネクタ端子として、給電ブラシ１１５に電力を供給している。
【先行技術文献】
【特許文献】
【０００４】
【特許文献１】特開昭５９−２９７６５号公報
【発明の概要】
【発明が解決しようとする課題】
【０００５】
しかしながら、上記従来のブラシ付き電動モータ１１０では、ブラシ組立体１０５を組立てる際に、給電ブラシ１１５から延設される端子線１１７をニップル１１９に電気的に接続させる工程があるが、この工程では、コイルスプリング１１８の筒の中に端子線１１７を通しつつ、コイルスプリング１１８を圧縮した状態で、端子線１１７をニップル１１９に半田付けしなければならず、組立て作業が煩雑であった。
【０００６】
また、カバー体１０４の外側からブラシ組立体１０５を挿入する構造のため、ガイド孔１１６とニップル１１９の寸法精度が悪いと漏れが発生する可能性がある。そこで各部品を高い寸法精度で製造するか、Ｏ−リング等のシール部材を追加する必要があり、部品コストが増大してしまう構造である。
【０００７】
そこで、本発明は、低コストでブラシ組立体の組立工程を簡素化できるブラシ付き電動モータを提供することを目的とする。
【課題を解決するための手段】
【０００８】
本発明は、給電ブラシと、給電ブラシの後端から延設される端子線と、端子線端部と電気的に接続されるコネクタ端子と、端子線を内部に挿通しつつ、給電ブラシとコネクタ端子との間に圧縮した状態で配設されるコイルスプリングとからなるブラシ組立体を備えるブラシ付き電動モータであって、コネクタ端子は、コイルスプリングの後端と当接し、コイルスプリングを保持するバネ受部と、バネ受部に形成されたスリットと、バネ受部のスリット股部から所定の寸法離れた位置に配置される端子線固定部とを備え、コイルスプリングの自由長寸法をＬＳ０、ブラシ組立体が完成した状態でのコイルスプリングの寸法をＬＳ、端子線固定部とスリットの股部との間の寸法をＬＬ、給電ブラシのスプリング受面から端子線先端までの寸法をＬＰとし、（寸法ＬＰ）＞（寸法ＬＳ０）（寸法ＬＰ）≧（寸法ＬＳ）＋（寸法ＬＬ）上記２式を満足するようにそれぞれの寸法が設定され、コイルスプリングの筒状内部に端子線を挿通させた状態で、端子線の後端を端子線固定部に固定し、コイルスプリングを寸法がＬＳ以下になるように圧縮し、端子線をスリットに引っ掛けて、バネ受部の裏面側からバネ受部側へ折返し、コイルスプリングの圧縮力を解放することで、コイルスプリングが先端側を給電ブラシに、後端側をバネ受部にそれぞれ当接しつつ、給電ブラシをバネ受部から離間する方向に付勢保持することを特徴としている。
【発明の効果】
【０００９】
本発明によれば、端子線の長さをコイルスプリングの自由長よりも長く設定したことにより、コイルスプリングを圧縮することなく端子線を端子線固定部に固定できるとともに、端子線を端子線固定部に固定した後で、コイルスプリングを圧縮しつつ、折返してバネ受部に配置することで、ブラシ組立体の組立てが完了するので、ブラシ組立体の組立て工程を簡素化することができる。
【００１０】
また、ブラシ組立体をカバー組立体に内側から挿入するため、シールの必要が無く、部品コストを低減することができる。
【図面の簡単な説明】
【００１１】
【図１】本発明の一実施形態を示し、燃料ポンプの軸方向に沿った断面図である。
【図２】図１のII部の要部拡大図である。
【図３】図２のIII−III線に沿った断面図である。
【図４】本実施形態におけるブラシ組立体の斜視図である。
【図５】本実施形態におけるブラシ組立体の側面図である。
【図６】本実施形態におけるブラシ組立体の裏面図である。
【図７】本実施形態におけるブラシ組立体の組立て手順を示し、（ａ）は端子線を端子線固定部に固定する工程、（ｂ）はコイルスプリングを圧縮する工程、（ｃ）は端子線をスリットの股部に引っ掛けて折返す工程、（ｄ）はコイルスプリングへの圧縮力を解放する工程をそれぞれ示している。
【図８】従来の燃料ポンプを示す断面図である。
【発明を実施するための形態】
【００１２】
本発明の一実施形態について図１〜図７を参照して説明する。本実施形態は、四輪車や二輪車などの車両に搭載される内燃機関に用いられる燃料ポンプに適用されるブラシ付き電動モータである。
【００１３】
燃料ポンプ１は、例えば、図１の左側を下方、且つ右側を上方とする姿勢で、燃料タンク（図示せず）内に収容され、下方から吸引した燃料を上方から吐出する構成になっている。
【００１４】
この燃料ポンプ１は、両端が開口する筒状のケーシング２を備えており、その底部側（図１の左側）をポンプ部３によって閉塞するとともに、上部側（図１の右側）をカバー体４によって閉塞してある。そして、ケーシング２内のポンプ部３とカバー体４との間となる位置に電動モータ１０を配置し、この電動モータ１０によってポンプ部３を駆動する構成になっている。
【００１５】
ポンプ部３は、ケーシング２の底部側を閉塞した外側ハウジング３１、および外側ハウジング３１の内側に配置した内側ハウジング３２と、これらハウジング３１，３２間に回転自在に設けたインペラ３３と、このインペラ３３の外周部に位置してハウジング３１，３２間に画成した燃料通路３４と、を備えている。
【００１６】
燃料通路３４の横断面形状を略Ｃ字状に形成してあり、燃料通路３４の一端部には外側ハウジング３１に形成した燃料吸込口３５が連通するとともに、燃料通路３４の他端部には内側ハウジング３２に形成した燃料排出口３６が連通している。そして、ポンプ部３の駆動によって燃料排出口３６から排出された燃料が、ケーシング２の内部に形成された燃料流路３７を通過してカバー体４に形成した燃料吐出口３８から吐出され、内燃機関の燃料供給系に送給される構成になっている。
【００１７】
電動モータ１０は、ケーシング２の内周に対向して固定された永久磁石からなる一対の固定子１１と、各固定子１１の内側に回転自在に配置されるとともにその中心部に回転軸１２が取り付けられた回転子１３と、この回転子１３の一端側に回転軸１２を中心に対向配置された複数の整流子片を持つ整流子１４と、整流子１４に摺接する一対の給電ブラシ１５と、を備えている。
【００１８】
このとき、整流子１４は、給電ブラシ１５との摺接面１４ａを回転軸１２に対して直角に配置された平形整流子として構成してある。また、回転軸１２はポンプ部３方向に延びて、インペラ３３の中心部に一体に回転可能に取り付けてあり、電動モータ１０の駆動により回転する回転軸１２によってポンプ部３を作動するようになっている。
【００１９】
給電ブラシ１５は、図４〜図６に示すブラシ組立体５の状態で、図１〜図３に示すように、カバー体４の内側に形成された保持部材としての組立体ホルダ１６によって回転軸１２と平行な方向に移動可能に保持されている。
【００２０】
カバー体４には、外部から電力を供給するための電源端子が設けられており、電源端子とブラシ組立体５はノイズ防止用のチョークコイルで電気的に接続されている。
【００２１】
ブラシ組立体５は、給電ブラシ１５と、端子線１７と、コネクタプレート（コネクタ端子）、およびコイルスプリング１８とから構成されている。
【００２２】
給電ブラシ１５は、断面略台形形状に形成され、台形形状の一方の端面（先端側端面）が接触面１５ａに設定されて整流子１４の摺接面１４ａに当接する。また、台形形状の他方の端面（後端側端面）は、受圧面１５ｂに設定され、コイルスプリング１８の先端側が当接する。加えて、受圧面１５ｂからは、端子線１７が延設されている。
【００２３】
コイルスプリング１８は、円筒状に成形され、軸方向に伸縮し、ブラシ組立体５に組込まれている。
【００２４】
端子線１７は細い銅線を縒り合わせて形成した軟銅縒線で構成されている。端子線１７は、コイルスプリング１８の筒状内部に挿通され、端子線１７の後端側はコネクタプレート２０に設けられた端子線固定部２３に接続されている。
【００２５】
コネクタプレート２０は、略板状に形成された導電性部材である。コネクタプレート２０は、略長方形を有し、組立体ホルダ１６へ固定される板状のプレート本体２１と、プレート本体２１の一辺から延設されるチョークコイルに接続されるための支持腕Ａと、プレート本体２１の他辺から延設される支持腕２２とから構成されている。支持腕２２の先端には、コイルスプリング１８の後端側が当接するバネ受部２４が設定されている。また、支持腕２２の先端には、先端を二分するスリット２５が形成されている。支持腕２２基部のバネ受部２４裏面側には、端子線固定部２３が設けられている。
【００２６】
なお、コイルスプリング１８の自由長寸法をＬＳ０、ブラシ組立体５が完成した状態でのコイルスプリング１８の寸法をＬＳ、端子線固定部２３とスリット２５の股部２６との間の寸法をＬＬ、給電ブラシのスプリング受面から端子線先端までの寸法をＬＰとし、以下の２式を満足するようにそれぞれの寸法が設定されている。
（寸法ＬＰ）＞（寸法ＬＳ０）
（寸法ＬＰ）≧（寸法ＬＳ）＋（寸法ＬＬ）
【００２７】
次に、ブラシ組立体５の組立て手順を説明する。まず、図７（ａ）に示すように、コイルスプリング１８の筒状内部に端子線１７を挿通させた状態で、端子線１７の後端を端子線固定部２３に半田付け、またはスポット溶接等の手段を用いて固定する。このとき、端子線１７の寸法ＬＰは、コイルスプリング１８の自由長寸法ＬＳ０よりも大きく設定されているので、端子線１７の後端を端子線固定部２３に固定する際に、コイルスプリング１８を圧縮する必要がない。
【００２８】
次に、図７（ｂ）に示すように、コイルスプリング１８を寸法がＬＳ以下になるように給電ブラシ１５に向かって圧縮する。次に、図７（ｃ）に示すように、コイルスプリング１８を圧縮した状態のままで、端子線１７をスリット２５の股部２６に引っ掛けて、バネ受部２４の裏面側２４ｂからバネ受部側２４ａへ折返す。
【００２９】
最後に、図７（ｄ）に示すように、コイルスプリング１８の圧縮力を解放する。圧縮力を解放することで、コイルスプリング１８が先端側を給電ブラシ１５に、後端側をバネ受部２４にそれぞれ当接しつつ、給電ブラシ１５をバネ受部２４から離間する方向に付勢保持し、ブラシ組立体５が完成する。
【００３０】
完成したブラシ組立体５がカバー体４に形成される組立体ホルダ１６に配設される。組立体ホルダ１６の断面は、図３に示すように、その給電ブラシ１５の略台形形状の外周に沿う形状を備えるとともに、プレート本体２１の外周に形状を具備し、配設されたブラシ組立体５がガタ付かないように構成されている。ブラシ組立体５を組付ける際に、支持腕２２側から組立体ホルダ１６の底部１６ａに突き当たるまで挿入する。次に、電源端子をカバー体４に取付け、チョークコイル（図示せず）によりコネクタプレート２０の支持腕Ａと電気的に接続しつつ、バルブ（図示せず）等の部品をカバー体４の所定の位置に配置して、カバー組立体６とする。
【００３１】
以上の構成により、本実施形態にかかるブラシ付き電動モータ１０によれば、端子線１７の長さＬＰをコイルスプリング１８の自由長ＬＳ０よりも長く設定したことにより、コイルスプリング１８を圧縮することなく端子線１７を端子線固定部２３に固定できるため、端子線１７を固定する作業を単純化することができる。また、端子線１７を端子線固定部２３に固定した後で、コイルスプリングを圧縮しつつ、折返してバネ受部２４に配置する手順とすることで、コイルスプリング１８を圧縮した状態で組付ける作業を簡素化することができる。
【００３２】
また、ブラシ組立体５をカバー組立体６に内側から挿入するため、シールの必要が無く、部品コストを低減することができる。
【符号の説明】
【００３３】
１…燃料ポンプ
５…ブラシ組立体
１０…電動モータ
１５…給電ブラシ
１５ｂ…受圧面（給電ブラシの後端）
１７…端子線
１８…コイルスプリング
２０…コネクタプレート（コネクタ端子）
２３…端子線固定部
２４…バネ受部
２４ａ…バネ受部側
２４ｂ…裏面側
２５…スリット
２６…股部
【図１】
2010220437.tif 000003
【図２】
2010220437.tif 000004
【図３】
2010220437.tif 000005
【図４】
2010220437.tif 000006
【図５】
2010220437.tif 000007
【図６】
2010220437.tif 000008
【図７】
2010220437.tif 000009
【図８】
2010220437.tif 000010